(57)【要約】【課題】Ｕ字状屈曲部を有して患部に広く当てることが可能で、使用にあっては布地等を特に巻き付ける必要もなくて、保温性を有する温水式保温具を提供する。【解決手段】屈曲可能なゴム又は合成樹脂性のシート材料１１を主体として構成され、その一部に開閉可能な水の出入り口１３を備え、一部又は全体が平面視してＵ字状に曲がったＵ字状屈曲部１４を有し、しかも、Ｕ字状屈曲部１４の内側曲率半径Ｒは、５〜３０ｃｍの範囲にあり、Ｕ字状屈曲部１４を膨らまして断面円形とした場合のその内径は（０．６〜２）・Ｒの範囲にある。【選択図】図１
2008279246.tif 000002
【特許請求の範囲】
【請求項１】
屈曲可能なゴム又は合成樹脂性のシート材料を主体として構成され、その一部に開閉可能な水の出入り口を備え、一部又は全体が平面視してＵ字状に曲がったＵ字状屈曲部を有することを特徴とする温水式保温具。
【請求項２】
請求項１記載の温水式保温具において、前記Ｕ字状屈曲部の内側曲率半径Ｒは、５〜３０ｃｍの範囲にあり、前記Ｕ字状屈曲部を膨らまして断面円形とした場合のその内径は（０．６〜２）・Ｒの範囲にあることを特徴とする温水式保温具。
【請求項３】
請求項１及び２のいずれか１項に記載の温水式保温具において、前記Ｕ字状屈曲部は入口側より奥側の方が内幅が広くなっていることを特徴とする温水式保温具。
【請求項４】
請求項１〜３のいずれか１項に記載の温水式保温具において、前記シート材料は、表面側に布地が貼着されている厚みが５〜１２ｍｍの独立気泡のゴム又は合成樹脂シートであることを特徴とする温水式保温具。
【請求項５】
請求項４記載の温水式保温具において、前記ゴム又は合成樹脂シートは、クロロプレンゴムシートであることを特徴とする温水式保温具。
【発明の詳細な説明】
【技術分野】
【０００１】
本発明は、温水式保温具（所謂「湯たんぽ」）に係り、特にその形状をＵ状として患部への装着性を向上した温水式保温具に関する。
【背景技術】
【０００２】
従来から特許文献１に示すような湯たんぽが提案されており、容器内にお湯を入れて、周囲に保温具等を巻いて使用されている。
また、特許文献２に示すような湯たんぽも提案されており、周囲にマグネット粒を埋めて磁力温熱押圧健康具として提案されている。
【０００３】
【特許文献１】実用新案登録第３１２７８８１号公報
【特許文献２】特開平５−２２８１９９号公報
【発明の開示】
【発明が解決しようとする課題】
【０００４】
しかしながら、特許文献１及び２に記載の湯たんぽは、形状が特定されているので、例えば、首の部分を加温しようとする場合、首の一部を加温することはできても、その大部分を加温することは困難であった。また、胴体や足を加温しようとする場合も同様な問題があった。
更に、湯たんぽ本体は一般に金属や陶器でできているので、直接皮膚に触ると火傷をし、保温性もよくないので、布等を厚く巻く必要があるという問題もあった。
【０００５】
本発明はかかる事情に鑑みてなされたもので、Ｕ字状屈曲部を有して患部に広く当てることが可能で、しかも、使用にあっては布地等を特に巻き付ける必要もなくて、保温性を有する温水式保温具を提供することを目的にとする。
【課題を解決するための手段】
【０００６】
前記目的に沿う第１の発明に係る温水式保温具は、屈曲可能なゴム又は合成樹脂性のシート材料を主体として構成され、その一部に開閉可能な水の出入り口を備え、一部又は全体が平面視してＵ字状に曲がったＵ字状屈曲部を有する。
【０００７】
また、第２の発明に係る温水式保温具は、第１の発明に係る温水式保温具において、前記Ｕ字状屈曲部の内側曲率半径Ｒは、５〜３０ｃｍ（より好ましくは６〜１０ｃｍ）の範囲にあり、前記Ｕ字状屈曲部を膨らまして断面円形とした場合のその内径は（０．６〜２）Ｒの範囲にある。
【０００８】
第３の発明に係る温水式保温具は、第１、第２の発明に係る温水式保温具において、前記Ｕ字状屈曲部は入口側より奥側の方が内幅が広くなっている。
【０００９】
第４の発明に係る温水式保温具は、第１〜第３の発明に係る温水式保温具において、前記シート材料は、表面側に布地が貼着されている厚みが５〜１２ｍｍの独立気泡のゴム又は合成樹脂シートである。
【００１０】
そして、第５の発明に係る温水式保温具は、第４の発明に係る温水式保温具において、前記ゴム又は合成樹脂シートは、クロロプレンゴムシートである。
【発明の効果】
【００１１】
請求項１〜５記載の温水式保温具は、屈曲可能なゴム又は合成樹脂性のシート材料を主体として構成され、その一部に開閉可能な水の出入り口を備え、一部又は全体が平面視してＵ字状に曲がったＵ字状屈曲部を有するので、患部（例えば、首部、肩部、胴部、脚部）に１８０度以上の角度で接し、温熱効果を高める。
【００１２】
特に、請求項２記載の温水式保温具においては、Ｕ字状屈曲部の内側曲率半径Ｒは、５〜３０ｃｍ（より好ましくは６〜１０ｃｍ）の範囲にあり、Ｕ字状屈曲部を膨らまして断面円形とした場合のその内径は（０．６〜２）・Ｒの範囲にあるので、Ｕ字状屈曲部の内側曲率半径ＲとＵ字状屈曲部を膨らまして断面円形とした場合のその内径がバランスし、適度のお湯を患部周りに配置できる。更には、患部に対して極端に外側に膨出しない。
【００１３】
請求項３記載の温水式保温具においては、Ｕ字状屈曲部は入口側より奥側の方が内幅が広くなっているので、患部への巻き付け角度が増大すると共に、一旦装着した温水式保温具が患部から自然に外れにくくなる。
【００１４】
請求項４記載の温水式保温具は、シート材料が、表面側に布地が貼着されている厚みが５〜１２ｍｍの独立気泡のゴム又は合成樹脂シートであるので、保温性を確保できると共に、機密性を確保できる。
【００１５】
そして、請求項５記載の温水式保温具は、ゴム又は合成樹脂シートが、クロロプレンゴムシートであるので、容易に入手でき、製作も簡単となる。
【発明を実施するための最良の形態】
【００１６】
続いて、添付した図面を参照しつつ、本発明を具体化した実施の形態につき説明し、本発明の理解に供する。
ここで、図１は本発明の第１の実施の形態に係る温水式保温具の平面図、図２は図１における矢視Ａ−Ａ′断面図、図３は図１における矢視Ｂ−Ｂ′一部断面図、図４は本発明の第２の実施の形態に係る温水式保温具の平面図、図５は本発明の第３の実施の形態に係る温水式保温具の平面図である。
【００１７】
図１に示すように、本発明の第１の実施の形態に係る温水式保温具１０は、上下に配置された屈曲可能なゴム又は合成樹脂性のシート材料１１、１２を主体として構成され、その一部に開閉可能な水の出入り口（給排水口）１３を備えている。また、この温水式保温具１０は、全体が平面視してＵ字状に曲がったＵ字状屈曲部１４を有している。このＵ字状屈曲部１４の内側曲率半径Ｒは、５〜３０ｃｍ（より好ましくは６〜１０ｃｍ）の範囲にあり、水の出入り口１３から水又はお湯を入れて全体を膨らませるとＵ字状屈曲部１４も膨らむ。この膨らんでＵ字状に曲がった棒状物の断面を円形とした場合のその内径は（０．６〜２）・Ｒの範囲にある。
【００１８】
なお、用途を限定する場合には、装着する部分の最大幅（直径）の半分をＵ字状屈曲部の内側曲率半径Ｒとするのがよい。例えば、患部が人体の肩である場合には、装着する部分は首となり、Ｕ字状屈曲部１４の内側曲率半径Ｒを７〜８ｃｍ、断面円形に膨らんだ状態での温水式保温具１０の断面の直径Ｄ（外径）を１０〜１２ｃｍとするのがよい。
【００１９】
シート材料１１、１２は、それぞれが独立気泡の発泡体を多数有する厚みが５〜１２ｍｍ（更に好ましくは、７〜８ｍｍ）のクロロプレンゴムシート１６とその外側に貼着された布地１７とからなる。布地１７は厚みが０．５〜１ｍｍのジャージからなり、両者は強固に接合されている。なお、ジャージは十分強度を有する化学繊維を使用する。これによってジャージに着色でき、図形、模様、文字を記載できる。
【００２０】
水の出入り口１３は、図３に示すように、シート材料１１の片側に設けられた貫通孔１８に装着され、貫通孔１８の周囲に補強材１９を取付けその周囲にフランジ２０を有する筒体２１を固定している。筒体２１の中央にはテーパー状開口部２２が設けられ、このテーパ状開口部２２に中央に孔２３が形成された中栓２４ａが、中栓２４ａの孔２３には閉じ栓２５が装着され、必要なときに温水式保温具１０内にお湯を入れて、使用済の水を排除できるようになっている。なお、この実施の形態に係る水の出入り口１３は構造が複雑なので、通常の雄ねじ口と、この雄ねじ口に螺合する蓋と、蓋の内部に設けられたパッキンとの組み合わせからなる簡単な給排水具であってもよい。
【００２１】
上下のシート材料１１、１２は同一形状となって、原材料からプレス抜きされた平面状のシート材料１１、１２の切断端部を、布地１７を表側にして接着剤にて突き合わせ接合している。なお、プレス抜きするシート材料１１、１２の幅は、製造しようとする温水式保温具１０が膨らんだ状態の直径をＤとすると、πＤ／２とする。そして、シート材料１１、１２の向き合った布地１７については、使用する糸がクロロプレンゴムシート１６を貫通しないようにする懸け縫いを行って、シート材料１１、１２を縫合する。
【００２２】
この実施の形態に係る温水式保温具１０においては、温水式保温具１０のＵ字状の入口側の開口部２４の幅は２Ｒ・（０．８〜０．９５）と、奥側より狭くなって、首等に装着した場合、抜けにくくなっている。また、開口部２４の最大突出部からＵ字状屈曲部１４の曲率半径中心部までの距離Ｌは、Ｒ・（２〜２．５）程度となっている。
【００２３】
従って、この温水式保温具１０内に水の出入り口１３を介してお湯を入れ栓を閉めて、首に装着すると、肩の部分と首の付け根の部分が加温される。この場合、シート材料１１、１２は独立発泡体のクロロプレンゴムシート１６とその表面の布地１７からなっているので、熱の伝導が緩和されて皮膚に伝わる。そして、シート材料１１、１２は保温性を有するので、長時間の温熱効果を発揮する。特別な布を更に患部との間に挟むことなく使用可能であり、この場合も、実験によれば低温火傷などが生じないことも確認されている。なお、低温火傷をするかしないかは使用者の体質にもよるので、必須の要件ではない。
【００２４】
次に、図４に示す本発明の第２の実施の形態に係る温水式保温具２６について説明するが、上記温水式保温具１０との相違点はその形状であるので、これについて重点的に説明する。
一部を切り欠いた環状シートからなり、切り欠いた部分の両側端部２７、２８は角を取って丸くした上下のシート材料２９、３０を突き合わせ接合する。このシート材料２９、３０は前記シート材料１１、１２と同質材料で、ゴム又は合成樹脂からなる独立気泡の発泡性シートの表面に布地が貼着されている。
【００２５】
水の出入り口を形成する蓋付きの給排水口３１は予めシート材料２９に取付けておく。水を完全に抜いた状態の温水式保温具２６を図４に示すが、この場合のＵ字状屈曲部３２の内側曲率半径Ｒ１は、５〜１０ｃｍの範囲にあり、その外側のシート材料２９、３０の幅Ｚは１０〜１５ｃｍとなっている。この実施の形態ではＵ字状屈曲部３２は半円部とそれに連続する部分からなって、その端部２７、２８間に形成される間隙は、（０．４〜１）・Ｒ１となって、狭くなっている。首等の患部に挿入する場合は、端部２７、２８を押し曲げて間隙を広げて装着する。
【００２６】
次に、図５を参照しながら、本発明の第３の実施の形態に係る温水式保温具３５について説明するが、図に示すように、上部にＶ字状に窪み３６を有して、中間部に水の出入り口１３を備えたＵ字状屈曲部３７を有している。この温水式保温具３５の材料及び製造方法は、第１の実施の形態に係る温水式保温具１０と同様であるので、省略するがその寸法は、横幅ｃが２０〜３０ｃｍ、縦幅ｄが１８〜２４ｃｍとするのが好ましく、これによって疲れ目や顔の美肌等に効果がある。
【００２７】
本発明は前記した実施の形態に限定されるものではなく、例えば数値変更は本発明の要旨を変更しない範囲まで許される。また、Ｕ字状屈曲部は文字通りＵ字状を含む他、多少内側曲率半径が場所によって異なっている場合も含まれ、更にＵ字状屈曲部の入口側開口部の幅が狭くなっている場合（例えば、図１、図４）も当然本発明は適用される他、広がっている場合（例えば、図５）も本発明は適用される。
また、本発明に係る温水式保温具をそのまま内部に冷水を入れて使用する場合は、冷し具となるが、中に入れる水の温度によって本発明は限定されず、本発明はこの冷し具にも適用される。従って、この場合は患部を冷やすことになる。
【図面の簡単な説明】
【００２８】
【図１】本発明の第１の実施の形態に係る温水式保温具の平面図である。
【図２】図１における矢視Ａ−Ａ′断面図である。
【図３】図１における矢視Ｂ−Ｂ′一部断面図である。
【図４】本発明の第２の実施の形態に係る温水式保温具の平面図である。
【図５】本発明の第３の実施の形態に係る温水式保温具の平面図である。
【符号の説明】
【００２９】
１０：温水式保温具、１１、１２：シート材料、１３：水の出入り口、１４：Ｕ字状屈曲部、１６：クロロプレンゴムシート、１７：布地、１８：貫通孔、１９：補強材、２０：フランジ、２１：筒体、２２：テーパー状開口部、２３：孔、２４：開口部、２４ａ：中栓、２５：閉じ栓、２６：温水式保温具、２７、２８：端部、２９、３０：シート材料、３１：蓋付きの給排水口、３２：Ｕ字状屈曲部、３５：温水式保温具、３６：窪み、３７：Ｕ字状屈曲部
【図１】
2008279246.tif 000003
【図２】
2008279246.tif 000004
【図３】
2008279246.tif 000005
【図４】
2008279246.tif 000006
【図５】
2008279246.tif 000007